(57)【要約】【課題】付箋を詰め替え可能に収納する付箋収納具であって、詰め替える付箋を収納し易い一方、収納された付箋が外に抜け出にくいものを提供する。【解決手段】端部が互い違いに糊付けして積層された付箋Ｓを詰め替え可能に収納する付箋収納具１は、付箋Ｓが載置される底面部１１と、底面部１１の長さ方向の両側端から略直角に折曲して設けられた一対の側面部１２と、一対の側面部１２の端部から、底面部１１と略平行に内側へ延出し、幅方向に沿って延びる間隙を隔てて相対する一対の上面部１３とを有する。一対の上面部１３の間を幅方向に沿って延びる間隙は、内部に収納された付箋Ｓを引き出すためのスリット１ｂを構成し、上面部１３には、幅方向に谷折部１３ａが形成され、上面部１３のスリット１ｂ側の側端部近傍は、上方に屈曲している。【選択図】図１
2017136761.tif 000002
【特許請求の範囲】
【請求項１】
端部が互い違いに糊付けして積層された付箋を詰め替え可能に収納する付箋収納具であって、
上記付箋が載置される底面部と、
上記底面部の長さ方向の両側端から略直角に折曲して設けられた一対の側面部と、
上記一対の側面部の端部から、上記底面部と略平行に内側へ延出し、幅方向に沿って延びる間隙を隔てて相対する一対の上面部と、を有し、
上記一対の上面部の間を幅方向に沿って延びる間隙は、内部に収納された付箋を引き出すためのスリットを構成し、
上記上面部には、幅方向に谷折部が形成され、
上記上面部の上記スリット側の側端部近傍は、上方に屈曲している、
ことを特徴とする付箋収納具。
【請求項２】
上記谷折部の幅方向の端部には切欠部が形成されている、
請求項１記載の付箋収納具。
【請求項３】
上記上面部は、内部に収納される付箋の幅に応じて幅方向に分割された複数の上面片からなり、
上記上面片ごとに、上記スリットと平行な幅方向に谷折部が形成されると共に、上記スリット側の側端部近傍で上方に屈曲する、
請求項１記載の付箋収納具。
【請求項４】
上記上面片の谷折部の幅方向の端部には切欠部が形成されている、
請求項３記載の付箋収納具。
【請求項５】
上記切欠部は、内側を頂点とした三角形状からなる、
請求項２又は４記載の付箋収納具。
【請求項６】
上記底面部の開口部近傍に、上記底面部の一部を切り起こした切起部が設けられている、
請求項１乃至５いずれかの項に記載の付箋収納具。
【請求項７】
上記切起部は、上記底面部の一部を外側に向かって切り起こしてなる、
請求項６記載の付箋収納具。
【請求項８】
上記付箋は紙付箋又はフィルム付箋である、
請求項１乃至７いずれかの項に記載の付箋収納具。
【請求項９】
上記底面部には、収納される複数の付箋を仕切る間仕切りが設けられている、
請求項１乃至８いずれかの項に記載の付箋収納具。
【請求項１０】
端部が互い違いに糊付けして積層された付箋を詰め替え可能に収納する付箋収納具であって、
上記付箋が載置される底面部と、
上記底面部の長さ方向の両側端から略直角に折曲して設けられた一対の側面部と、
上記一対の側面部の端部から、上記底面部と略平行に内側へ延出し、幅方向に沿って延びる間隙を隔てて相対する一対の上面部と、を有し、
上記一対の上面部の間を幅方向に沿って延びる間隙は、内部に収納された付箋を引き出すためのスリットを構成し、
上記上面部には、幅方向に谷折線が設けられている、
ことを特徴とする付箋収納具。
【請求項１１】
上記谷折線の幅方向の端部には切欠部が形成されている、
請求項１０記載の付箋収納具。
【発明の詳細な説明】
【技術分野】
【０００１】
本発明は、付箋を詰め替え可能に収納する付箋収納具に関する。
【背景技術】
【０００２】
書物やノートのページに貼り付けて用いられる付箋は、ページを開きやすくしたり、参照箇所を分かりやすくしたりするほか、メモ用紙としても用いられたりしている。
このような付箋は多くの場合、ケース等に入れられることなく、むき出しの状態のままで用いられているが、そのために汚れて使えなくなってしまうことも少なくない。
【０００３】
この点、例えば、特許文献１では、中央部裏面に一の方向に長い長方形状の窪みを凹設して窪みの内部を付箋収納室として板状の主部材と、付箋収納室内に収納した付箋積層体とからなり、窪み上方の板部分の一の方向の中間部に、付箋取出し口を開口してなる付箋収納具が提案されている。
また、特許文献２では、底面開放の箱形のケース本体の上板部に付箋の引出口を開設することによって、そのケース本体に、その高さ方向に離型される成形型を用いて成形可能な形状を具備させると共に、そのケース本体の周囲に成形型によって成形可能な凹入状の取付孔部を具備させ、その取付孔部に、壁面や机面などの固定面に当該ケース本体を定着させる吸着手段が取り付けられているプラスチック製付箋繰出しケースが提案されている。
また、特許文献３では、ケースと、底板とを含んでなり、該ケースは、中空で開口と、その周辺の適宜な位置に設けられた接続部と、取り出し口とを設けてなり、該取り出し口は内部に設けられた付箋紙を取り出すための経路として供し、該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設することを特徴とする付箋紙座が提案されている。
【先行技術文献】
【特許文献】
【０００４】
【特許文献１】特開２０１３−１４６９２１号公報
【特許文献２】実用新案登録第３１２５０７３号公報
【特許文献３】実用新案登録第３１６４４１０号公報
【発明の概要】
【発明が解決しようとする課題】
【０００５】
各特許文献に記載の収納具等によれば、付箋の汚れや紛失等を防ぎやすくなるが、容易に付箋を詰め替えて使用できるものではなかった。即ち、付箋を詰め替えるためには、収納具に設けられている蓋を開閉させるなど、詰め替えの手間がかかるものであった。また、詰め替えのための構造を設けたことで、収納具自体の製造コストが小さくないものであった。さらに、使用後に収納具まで廃棄するのでは環境にも良くない。
【０００６】
そこで、本発明は、付箋を詰め替え可能に収納する付箋収納具であって、詰め替える付箋を収納し易い一方、収納された付箋が外に抜け出にくいものを提供することを目的とする。
【課題を解決するための手段】
【０００７】
上記目的を達成するため、本発明の一の観点に係る付箋収納具は、端部が互い違いに糊付けして積層された付箋を詰め替え可能に収納する付箋収納具であって、上記付箋が載置される底面部と、上記底面部の長さ方向の両側端から略直角に折曲して設けられた一対の側面部と、上記一対の側面部の端部から、上記底面部と略平行に内側へ延出し、幅方向に沿って延びる間隙を隔てて相対する一対の上面部と、を有し、上記一対の上面部の間を幅方向に沿って延びる間隙は、内部に収納された付箋を引き出すためのスリットを構成し、上記上面部には、幅方向に谷折部が形成され、上記上面部の上記スリット側の側端部近傍は、上方に屈曲していることを特徴とする。
【０００８】
また、上記谷折部の幅方向の端部には切欠部が形成されているものとしてもよい。
【０００９】
また、上記上面部は、内部に収納される付箋の幅に応じて幅方向に分割された複数の上面片からなり、上記上面片ごとに、上記スリットと平行な幅方向に谷折部が形成されると共に、上記スリット側の側端部近傍で上方に屈曲するものとしてもよい。
【００１０】
また、上記上面片の谷折部の幅方向の端部には切欠部が形成されているものとしてもよい。
【００１１】
また、上記切欠部は、内側を頂点とした三角形状からなるものとしてもよい。
【００１２】
また、上記底面部の開口部近傍に、上記底面部の一部を切り起こした切起部が設けられているものとしてもよい。
【００１３】
また、上記切起部は、上記底面部の一部を外側に向かって切り起こしてなるものとしてもよい。
【００１４】
また、上記付箋は紙付箋又はフィルム付箋であるものとしてもよい。
【００１５】
また、上記底面部には、収納される複数の付箋を仕切る間仕切りが設けられているものとしてもよい。
【００１６】
また、本発明の別の観点に係る付箋収納具は、端部が互い違いに糊付けして積層された付箋を詰め替え可能に収納する付箋収納具であって、上記付箋が載置される底面部と、上記底面部の長さ方向の両側端から略直角に折曲して設けられた一対の側面部と、上記一対の側面部の端部から、上記底面部と略平行に内側へ延出し、幅方向に沿って延びる間隙を隔てて相対する一対の上面部と、を有し、上記一対の上面部の間を幅方向に沿って延びる間隙は、内部に収納された付箋を引き出すためのスリットを構成し、上記上面部には、幅方向に谷折線が設けられていることを特徴とする。
【００１７】
また、上記谷折線の幅方向の端部には切欠部が形成されているものとしてもよい。
【発明の効果】
【００１８】
本発明によれば、付箋が詰め替え可能であって、詰め替える付箋を収納し易い一方、収納された付箋が外に抜け出にくい。
【図面の簡単な説明】
【００１９】
【図１】本発明の第一の実施形態に係る付箋収納具において、付箋を収納させた状態を示した斜視図である。
【図２】本実施形態に係る付箋収納具を示した斜視図である。
【図３】本実施形態に係る付箋収納具において、付箋を収納させた状態を示した側面図である。
【図４】本実施形態に係る付箋収納具において、谷折部を設ける前の状態を示した斜視図である。
【図５】本実施形態に係る付箋収納具において、別の構造からなる切起部を設けた例を示した一部省略図である。
【図６】本実施形態に係る付箋収納具において、別の構造からなる間仕切りを設けた例を示した一部省略図である。
【図７】本発明の第二の実施形態に係る付箋収納具を示した斜視図ある。
【図８】本発明の参考例に係る付箋収納具を示した斜視図ある。
【図９】本例に係る付箋収納具を示したＡ−Ａ断面図である。
【図１０】本発明の別の参考例に係る付箋収納具を示した斜視図であって、（ａ）一の側から見た図、（ｂ）逆の側から見た図である。
【図１１】本例に係る付箋収納具の使用時を説明する斜視図である。
【図１２】本例に係る付箋収納具の使用時を説明する斜視図である。
【発明を実施するための形態】
【００２０】
以下、本発明の実施形態に係る付箋収納具について説明する。
本実施形態に係る付箋収納具は、付箋を詰め替え可能に収納する収納具である。
なお、図１に示されるように、本実施形態に係る付箋収納具１に収納されて用いられる付箋Ｓは、端部が互い違いに糊付けして積層されたものである。この付箋Ｓの材質は、紙、フィルム状のプラスチックなど、広く一般に使用されている付箋について適用が可能であるが、特に本実施形態に係る付箋収納具１は、厚みのある紙製の付箋Ｓについて好適なものである。
【００２１】
また、付箋収納具１は例えば、厚紙、Ａ−ＰＥＴ等のプラスチック等、形状維持が可能な材料を単独、あるいは各材質のものを組み合わせて作製される。特に本例では、適度な弾性を有する薄く透明なプラスチックによって構成され、内部に収納されている付箋が外側から見えるようになっている。
さらに、付箋収納具１は、一つの付箋だけでなく、複数の付箋をまとめて収納することができる。
【実施例１】
【００２２】
図２に示されるように、本発明の第一の実施形態に係る付箋収納具１は、幅方向の両端に開口部１ａを備えた略筒型形状からなる。
この付箋収納具１は、付箋Ｓが載置される底面部１１、底面部１１の長さ方向の両側端から略直角に折曲して設けられた一対の側面部１２、及び、一対の側面部１２の端部から、底面部１１と略平行に内側へ延出し、幅方向に沿って延びる間隙を隔てて相対する一対の上面部１３によって構成される。
【００２３】
この付箋収納具１において、付箋Ｓは、底面部１１、側面部１２、及び上面部１３によって囲われる内部に収納されるようになっている。
なお、本例では、付箋Ｓは三つ、付箋収納具１の幅方向に沿って収納可能となっているが、付箋Ｓが図１に示すものの半分の幅からなるものであれば、６つ収納可能である。付箋収納具２の製作に際して、付箋収納具２の寸法は、付箋Ｓの寸法及び収納する付箋Ｓの個数に応じて決定すればよい。
【００２４】
一対の上面部１３の間を幅方向に沿って延びる間隙は、内部に収納された付箋Ｓを引き出すためのスリット１ｂを構成する。
また、このスリット１ｂを介して、付箋収納具１内に付箋Ｓを収納することができる。即ち、付箋収納具１が有する可撓性により、一対の上面部１３を観音開き様に上方へ可逆的に屈曲させることでき、これによりスリット１ｂが大きく開口し、スリット１ｂを介して付箋収納具１内に付箋Ｓを収納することができる。付箋収納具１内に収納された付箋Ｓは、スリット１ｂを介して外側へ引き出されるようになっている。
【００２５】
なお、上面部１３のスリット１ｂ近傍の角は、弧状に面取りされていてもよい。これにより付箋Ｓを付箋収納具１内に収納したり、付箋収納具１から引き出したりする際、開口部１ａに付箋Ｓが引っかかりにくくなる。
【００２６】
底面部１１の両端の開口部１ａ近傍には、底面部１１の一部を幅方向内側に向かって帯状に切り起こした切起部１０が設けられている。この切起部１０は、底面部１１の一部を、底面部１１と連設した帯状に切り欠いてから、その切欠片を内側に向かって立ち上げることによって形成されている。
【００２７】
底面部１１の中央付近には、収納される複数の付箋Ｓを仕切る間仕切り１４が設けられている。この間仕切り１４も切起部１０と同様、本例では、底面部１１の一部を帯状に切り起こしたものである。
【００２８】
一対の上面部１３には夫々、幅方向に谷折部１３ａが形成されている。この谷折部１３ａは、ややスリット１ｂよりの位置において、一の開口部１ａから他の開口部１ａにかけ、下方に折り曲げることで形成されている。
【００２９】
上面部１３に谷折部１３ａが設けられていることにより、図３に示されるように、谷折部１３ａの下面が付箋Ｓを押さえつけ、付箋Ｓが内部でぐらついたり、付箋Ｓが複数枚繋がった状態で引き出されたりするのを防ぐことができる。特に付箋Ｓが紙である場合、付箋Ｓに厚みがあるが、谷折部１３ａによって付箋Ｓが上面からしっかりと押さえ付けられる。また、使用によって付箋Ｓが減って厚みが小さくなった場合でも、谷折部１３ａの折り曲げ度合いを大きくすることで、谷折部１３ａによって付箋Ｓを上面からしっかりと押さえ付け、付箋Ｓのぐらつきを抑えたり、付箋Ｓが複数枚繋がった状態で引き出されるのを防いだりすることができる。さらに、付箋収納具１がプラスチック等の適度な弾性を有する材質で構成すれば、その弾性力に応じて谷折部１３ａで付箋Ｓをしっかりと押さえ付けることができる。
なお、谷折部１３ａには、断続的に切断あるいは穿孔されたミシン目が施されていてもよく、その場合、付箋Ｓの使用によって付箋Ｓの厚みが小さくなった際など、容易に折り曲げの度合いを大きくすることができる。
【００３０】
谷折部１３ａの両端部は、内側を頂点とする三角形状に切り欠かれており、当該切り欠かれた部分は切欠部１３ｂを構成する。
切欠部１３ａの三角形状の内側の頂点が、谷折部１３ａと重なるように切欠部１３ｂが設けられていることから、この切欠部１３ｂを両端とした谷折部１３ａを形成しやすい。
【００３１】
また、上面部１３のスリット１ｂ側の側端部近傍は、谷折部１３ａが設けられていることにより上方に屈曲している。このように上面部１３のスリット１ｂ側の側端部近傍が上方に屈曲していることで、スリット１ｂから付箋Ｓを引き出す際、付箋Ｓが上面部１３に引っ掛かることなく、スムーズに付箋Ｓを引き出すことができる。
【００３２】
このような構成からなる付箋収納具１を使用する場合には、一対の上面部１３を観音開き様に上方へ可逆的に屈曲させてスリット１ｂを大きく開口させ、この状態でスリット１ｂを介して付箋収納具１内に付箋Ｓを収納する。この際、底面部１１に切起部１０や間仕切り１４が設けられていることから、この切起部１０や間仕切り１４の間に付箋Ｓを位置決めし易く、また、付箋Ｓの向きを付箋収納具１の幅方向や長さ方向に合わせてしっかりと配置し易い。
他方、付箋収納具１に収納された付箋Ｓをスリット１ｂから引き出して使用し、付箋Ｓがなくなった場合には再び、スリット１ｂを介して付箋Ｓを詰め直すことができる。
【００３３】
また、この付箋収納具１は使用前において、図４に示されるように、谷折部１３ａを形成していない状態で使用者に提供してもよい。
この場合でも、谷折部１３ａが形成される箇所の両端部に内側を頂点とした三角形状の切欠部１３ｂが設けられていることから、この切欠部１３ｂを両端とした谷折部１３ａを形成しやすい。
なお、さらに容易に谷折部１３ａを形成可能とするために、谷折部１３ａとなる箇所に谷折線１３ｃを設けておいてもよい。谷折線１３ｃは、折り曲げ位置に目印として描画された線として構成してもよいし、折り曲げ位置に、断続的に切断あるいは穿孔されたミシン目等を施して容易に折曲可能な部分として構成してもよい。
【００３４】
また、切欠部１３ｂについても、付箋収納具１の使用前は切り欠く前の状態とし、使用に際して切り欠いて設けるものとしてもよい。
この場合、切り欠く箇所に予め、断続的に切断あるいは穿孔されたミシン目等を施し、容易に切欠可能な部分としておいてもよいし、ミシン目加工に加えて、あるいはミシン目加工に代えて、切欠箇所に目印となる線を描画しておいてもよい。
【００３５】
なお、付箋収納具１内に付箋Ｓを収納させた際、使い初めに付箋Ｓの端部をスリット１ｂから引き出すときは、幅広の付箋を用い、当該幅広の付箋の粘着部分をスリット１ｂから付箋収納具１内に挿し入れ、付箋収納具１内に収納されている付箋Ｓの端部に貼着させてスリット１ｂから外側へ引き出すとよい。製品レベルでは、このような収納方法や使用方法についての取扱書を幅広の付箋で代用することも考えられる。後述の他の実施例においても、付箋Ｓの端部の引き出し方は本例と同様に行うとよい。
【００３６】
また、切起部１０の立ち上がり角度が不十分な場合は、付箋Ｓを挿入した後、切起部１０を切り起こすことによって形成された底面部１１の孔から細長い棒状のもの、例えばボールペンを挿し込み、このボールペンで切起部１０を内側に押すことで切起部１０の立ち上がり角度を調整することができる。
【００３７】
以上の本実施形態に係る付箋収納具１によれば、付箋Ｓを簡単に詰め替えて利用することができる。また、谷折部１３ａの下面が付箋Ｓを押さえつけるため、付箋Ｓが内部でぐらつくのを防ぐことができるし、付箋Ｓが複数枚繋がった状態で引き出されたりするのを防いで、一枚ずつ確実に引き出せるようにすることができる。また、使用によって付箋Ｓが減って厚みが小さくなった場合でも、谷折部１３ａの折り曲げ度合いを大きくすることで、谷折部１３ａによって付箋Ｓを上面からしっかりと押さえ付け、付箋Ｓのぐらつきを抑えたり、付箋Ｓが複数枚繋がった状態で引き出されるのを防いだりすることができる。このようなことは特に、付箋Ｓが厚みの大きい紙付箋の場合により効果的である。
【００３８】
また、切り起こされた切起部１０によって、付箋Ｓが外部へ抜け出るのを防ぐことができる。
また、付箋収納具１の谷折部１３ａは上面部１３を折り曲げたものに過ぎず、また、切起部１０も上面部１３の一部を切り欠いたものにすぎないため、製造コストを抑えることができる。
さらに、付箋Ｓを詰め替えて何度でも使用できるので、環境にもよい。
【００３９】
なお、本実施形態に係る付箋収納具１において、付箋Ｓを付箋収納具１に収納する際には、切起部１０を寝かせた状態で、開口部１ａから内部へ、付箋Ｓを幅方向にスライドさせながら挿入することもできる。このように付箋Ｓを収納した後は、切起部１０を立ち上げれば、内部に収納された付箋Ｓが外部に抜け出ることはない。
【００４０】
また、本実施形態に係る付箋収納具１においては、側面に開口部１ａが設けられるものとしたが、方形状の底面部１１の四辺すべてに側面部１２を連設させ、箱型形状とすることもできる。この場合でも、上面部１３の一辺のみを一の側面部１２と連設させることで、上面部１３は側面部１２と連設する部分で屈曲可能となり、スリット１ｂを大きく開口させて付箋Ｓの詰め替え等を行うことができる。
【００４１】
また、切起部１０は図５に示されるように、底面部１１の一部を幅方向外側に向かって帯状に切り起こしたものであってもよい。このように構成すると、底面部１１と連設する部分において、外側を谷として略直角に折曲することによって立ち上げられていることから、内側へ傾倒しやすい。そのため、開口部１ａから付箋収納具１内に付箋Ｓをスライドさせて挿入する場合、切起部１０が内側へ傾倒しやすく、容易に付箋Ｓを付箋収納具１内に挿入することができる。一方、付箋Ｓが付箋収納具１内に収納された状態においては、切起部１０は内部に収納されている付箋Ｓを内側へ付勢するように押さえつけ、付箋Ｓが開口部１ａから外側へ抜け出ないように保持している。
【００４２】
また、切起部１０は、本実施形態では帯状からなるが、これに限らず、舌片状、角部が弧状に面取りされた略長方形状、半円形状など、他の形状とすることもできる。特に、切起部１０を舌片状や半円形状に形成するときは、各開口部１ａに複数個設けることもできる。また、この場合、舌片状あるいは半円形状の切起部１０は、各開口部１ａ側において、一対の側面部１２近傍に設けるとよい。このように切起部１０を設ける位置を側面部１２近傍とすることで、使用によって付箋Ｓの枚数が減り、上面部１３が底面部１１側へ撓む場合でも上面部１３が切起部１０に当たりにくく、これにより上面部１３が切起部１０を押し倒し、切起部１０の立ち上がり角度が鈍化あるいは浅くなるのを防ぐことができる。
また、底面部１１を開口部１ａから外側へ延出させ、当該延出させた部分に切起部１０を設けることもできる。
【００４３】
また、切起部１０は、付箋収納具２の製造時、底面部１１上の切起部１０を設けるための切断箇所に、断続的に切断あるいは穿孔されたミシン目等を施して容易に切り起こし可能な部分として設けておき、使用者が使用する際にミシン目に沿って切り起こすことができるようになっていてもよい。また、ミシン目加工に加えて、あるいはミシン目加工に代えて、切断箇所に目印となる線を描画することもできる。
【００４４】
また、本実施形態において、間仕切り１４は底面部１１の一部を帯状に切り起こすものとしたが、その形状は、舌片状、半円状など、その他の形状に構成してもよいし、図６に示されるように観音開き状に一対で切り起こすものとしてもよい。また、底面部１１とは別部材によって構成し、底面部１１上に接着等して立設させたものとすることもできる。
【実施例２】
【００４５】
続いて、図７に本発明の第二の実施形態に係る付箋収納具２を示す。
本実施形態に係る付箋収納具２は、付箋収納具１と同様、幅方向の両端に開口部２ａを備えた略筒型形状からなる。
この付箋収納具２は、付箋Ｓが載置される底面部２１、底面部２１の長さ方向の両側端から略直角に折曲して設けられた一対の側面部２２、及び、一対の側面部２２の端部から、底面部２１と略平行に内側へ延出し、幅方向に沿って延びる間隙を隔てて相対する一対の上面部２３によって構成される
【００４６】
この付箋収納具２においても、付箋Ｓは、底面部２１、側面部２２、及び上面部２３によって囲われる内部に収納されるようになっている。
また、付箋収納具２の製作に際して、付箋収納具２の寸法は、付箋Ｓの寸法及び収納する付箋Ｓの個数に応じて決定すればよい。
【００４７】
一対の上面部２３の間を幅方向に沿って延びる間隙は、内部に収納された付箋Ｓを引き出すためのスリット２ｂを構成する。
また、このスリット２ｂを介して、付箋収納具２内に付箋Ｓを収納することができる。即ち、付箋収納具２が有する可撓性により、一対の上面部２３を観音開き様に上方へ可逆的に屈曲させることができ、これによりスリット２ｂが大きく開口し、スリット２ｂを介して付箋収納具２内に付箋Ｓを収納することができる。付箋収納具２内に収納された付箋Ｓは、スリット２ｂを介して外側へ引き出されるようになっている。
【００４８】
底面部２１の両端の開口部２ａ近傍には、底面部２１の一部を幅方向内側に向かって帯状に切り起こした切起部２０が設けられている。この切起部２０は、底面部２１の一部を、底面部２１と連設した帯状に切り欠いてから、その切欠片を内側に向かって立ち上げることによって形成されている。
【００４９】
底面部２１の中央付近には、収納される複数の付箋Ｓを仕切る間仕切り２４が設けられている。この間仕切り２４も切起部２０と同様、本例では、底面部２１の一部を帯状に切り起こしたものである。
【００５０】
上面部２３は夫々、複数の上面片２３１から構成される。
この上面片２３１は、付箋Ｓの幅と略同じ幅を有している。また、各上面片２３１は、幅方向に隣接する上面片２３１と分離しており、隣接する上面片２３１と無関係に動かすことができる。
【００５１】
また、各上面片２３１には、谷折部２３ａが形成されている。この谷折部２３ａは、ややスリット２ｂよりの位置において、一の開口部２ａ側から他の開口部２ａ側にかけ、下方に折り曲げることで形成されている。
【００５２】
上面片２３１に谷折部２３ａが設けられていることにより、各上面片２３１の谷折部２３ａの下面が付箋Ｓを押さえつけ、付箋Ｓが内部でぐらつくのを防ぐことができるし、付箋Ｓが複数枚繋がった状態で引き出されたりするのを防いで、一枚ずつ確実に引き出すことができる。特に本実施形態の場合、上面片２３１が付箋Ｓの幅と略同じサイズからなると共に、隣接する上面片２３１同士が分離していることから、各上面片２３１が内部に収納されている複数の付箋Ｓを個別に押さえつける。その結果、付箋Ｓごとの使用量の違いによって付箋Ｓの厚みに差が出た場合であっても、各付箋Ｓを各上面片２３１によって上面からしっかりと押さえ付けることができる。
なお、第一の実施形態に係る付箋収納具１と同様、谷折部２３ａには、断続的に切断あるいは穿孔されたミシン目が施されていてもよく、その場合、付箋Ｓの使用によって付箋Ｓの厚みが小さくなった際など、容易に折り曲げの度合いを大きくすることができる。
【００５３】
各上面片２３１の谷折部２３ａの両端部は、内側を頂点とした三角形状に切り欠かれており、当該切り欠かれた部分は切欠部２３ｂを構成する。
切欠部２３ｂが設けられていることにより、この切欠部２３ｂを両端とした谷折部２３ａを形成しやすい。
【００５４】
また、上面部２３のスリット２ｂ側の側端部近傍は、谷折部２３ａが設けられていることにより上方に屈曲している。このように上面部２３のスリット１ｂ側の側端部近傍が上方に屈曲していることで、スリット２ｂから付箋Ｓを引き出す際、付箋Ｓが上面部２３に引っ掛かることなく、スムーズに付箋Ｓを引き出すことができる。
【００５５】
このような構成からなる付箋収納具２を使用する場合には、一対の上面部２３を観音開き様に上方へ可逆的に屈曲させてスリット２ｂを大きく開口させ、この状態でスリット２ｂを介して付箋収納具２内に付箋Ｓを収納する。この際、底面部２１に切起部２０や間仕切り２４が設けられていることから、この切起部２０や間仕切り２４の間に付箋Ｓを位置決めし易く、また、付箋Ｓの向きを付箋収納具１の幅方向や長さ方向に合わせてしっかりと配置し易い。
他方、付箋収納具２に収納された付箋Ｓをスリット２ｂから引き出して使用し、付箋Ｓがなくなった場合には再び、スリット２ｂを介して付箋Ｓを詰め直すことができる。
【００５６】
また、第一の実施形態に係る付箋収納具１と同様、この付箋収納具２も使用前において、谷折部２３ａを形成していない状態で使用者に提供してもよい。
この場合でも、谷折部２３ａの両端部に内側を頂点とした三角形状の切欠部２３ｂが設けられていることから、この切欠部２３ｂを両端とした谷折部２３ａを形成しやすい。
【００５７】
なお、さらに容易に谷折部２３ａを形成可能とするために、谷折部２３ａとなる箇所に谷折線を設けておいてもよい。谷折線は、折り曲げ位置に目印として描画された線として構成してもよいし、折り曲げ位置に、断続的に切断あるいは穿孔されたミシン目等を施して容易に折曲可能な部分として構成してもよい。
【００５８】
また、本実施形態に係る付箋収納具２においては、使用前において、幅方向に隣り合う各上面片２３１が分離可能に連設した状態で使用者に提供してもよい。
この場合、隣り合う上面片２３１同士を容易に分離させられるよう、各上面片２３１の境界に断続的に切断あるいは穿孔されたミシン目等を施しておくとよい。
【００５９】
また、第一の実施形態に係る付箋収納具１と同様、各上面片２３１の切欠部２３ｂについても、付箋収納具２の使用前は切り欠く前の状態とし、使用に際して切り欠いて設けるものとしてもよい。
この場合、切り欠く箇所に予め、断続的に切断あるいは穿孔されたミシン目等を施し、容易に切欠可能な部分としておいてもよいし、ミシン目加工に加えて、あるいはミシン目加工に代えて、切欠箇所に目印となる線を描画しておいてもよい。
【００６０】
以上の本実施形態に係る付箋収納具２によっても、付箋Ｓを簡単に詰め替えて利用することができる。特に本実施形態では、隣接する上面片２３１同士が分離していることから、各上面片２３１が内部に収納されている複数の付箋Ｓを個別に押さえつけ、複数の付箋Ｓごとの厚みにかかわらず、各付箋Ｓを各上面片２３１によって上面からしっかりと押さえ付けることができる。
【００６１】
なお、第一の実施形態に係る付箋収納具１と同様、本実施形態においても、切起部２０は、底面部１１の一部を幅方向外側に向かって切り起こしたものであってもよいほか、帯状に限らず、舌片状、角部が弧状に面取りされた略長方形状、半円形状など、他の形状とすることもできる。また、切起部２０は、付箋収納具２の製造時、底面部２１上の切起部２０を設けるための切断箇所に、断続的に切断あるいは穿孔されたミシン目等を施して容易に切り起こし可能な部分として設けておき、使用者が使用する際にミシン目に沿って切り起こすことができるようになっていてもよい。また、ミシン目加工に加えて、あるいはミシン目加工に代えて、切断箇所に目印となる線を描画することもできる。
【００６２】
また、付箋Ｓを付箋収納具２に収納する方法についても、切起部２０を寝かせた状態で、開口部２ａから内部へ、付箋Ｓを幅方向にスライドさせながら挿入することもできる。
また、付箋収納具２の形状についても、側面に開口部２ａを設けることなく、方形状の底面部２１の四辺すべてに側面部２２を連設させると共に、上面部２３の一辺のみを一の側面部２２と連設させた箱型形状とすることもできる。
さらに、間仕切り２４についても、その形状は、舌片状、半円状など、その他の形状に構成してもよいし、観音開き状に一対で切り起こすものとしてもよい。また、底面部２１とは別部材によって構成し、底面部２１上に接着等して立設させたものとすることもできる。
【参考例１】
【００６３】
続いて、図８及び図９に本発明の参考例に係る付箋収納具３を示す。
付箋収納具３は、付箋収納具１と同様、幅方向の両端に開口部３ａを備えた略筒型形状からなる。
この付箋収納具３は、付箋Ｓが載置される底面部３１、底面部３１の長さ方向の両側端から略直角に折曲して設けられた一対の側面部３２、一対の側面部３２の端部から底面部３１と略平行に内側へ延出し、幅方向に沿って延びる間隙を隔てて相対する一対の上面部３３によって構成される
【００６４】
この付箋収納具３においても、付箋Ｓは、底面部３１、側面部３２、及び上面部３３によって囲われる内部に収納されるようになっている。
なお、本例においても、付箋収納具３の製作に際して、付箋収納具３の寸法は、付箋Ｓの寸法及び収納する付箋Ｓの個数に応じて決定すればよい。
また、底面部３１の中央付近には、収納される複数の付箋Ｓを仕切る間仕切りを設けることもできる。
【００６５】
一対の上面部３３の間を幅方向に沿って延びる間隙は、内部に収納された付箋Ｓを引き出すためのスリット３ｂを構成する。
また、このスリット３ｂを介して、付箋収納具３内に付箋Ｓを収納することができる。即ち、付箋収納具３が有する可撓性により、一対の上面部３３を観音開き様に上方へ可逆的に屈曲させることができ、これによりスリット３ｂが大きく開口し、スリット３ｂを介して付箋収納具３内に付箋Ｓを収納することができる。付箋収納具３内に収納された付箋Ｓは、スリット３ｂを介して外側へ引き出されるようになっている。
【００６６】
底面部３１の両端の開口部３ａ近傍には、底面部３１及び側面部３２の一部を切り起こした切起部３０が設けられている。この切起部３０は、底面部３１及び側面部３２の一部を、底面部３１及び側面部３２と部分的に連設させつつ、内側へ切り起こすことによって形成されている。詳細には、底面部３１及び側面部３２から切り起こした状態において、底面部３１に対して直角に切り起こされた部分と、側面部３２に対して直角に切り起こされた部分とで構成され、底面部３１と側面部３２によって構成される角が内側へ立ち上げられた形状からなる。
なお、切起部３０は、底面部３１と側面部３２の幅方向の端部に設けられていてもよい。
【００６７】
一対の上面部３３には夫々、幅方向に谷折部３３ａが形成されている。この谷折部３３ａは、ややスリット３ｂよりの位置において、一の開口部３ａから他の開口部３ａにかけ、下方に折り曲げることで形成されている。
【００６８】
上面部３３に谷折部３３ａが設けられていることにより、本発明の第一の実施形態に係る付箋収納具１と同様、谷折部３３ａの下面が付箋Ｓを押さえつけ、付箋Ｓが内部でぐらついたり、付箋Ｓが複数枚繋がった状態で引き出されたりするのを防ぐことができる。特に付箋Ｓが紙である場合、付箋Ｓに厚みがあるが、谷折部３３ａによって付箋Ｓが上面からしっかりと押さえ付けられる。また、
なお、谷折部３３ａには、断続的に切断あるいは穿孔されたミシン目が施されていてもよく、その場合、付箋Ｓの使用によって付箋Ｓの厚みが小さくなった際など、容易に折り曲げの度合いを大きくすることができる。
【００６９】
谷折部３３ａの両端部は、内側を頂点とした三角形状に切り欠かれており、当該切り欠かれた部分は切欠部３３ｂを構成する。
切欠部３３ｂが設けられていることにより、この切欠部３３ｂを両端とした谷折部３３ａを形成しやすい。
【００７０】
また、上面部３３のスリット３ｂ側の側端部近傍は、谷折部３３ａが設けられていることにより上方に屈曲している。このように上面部３３のスリット３ｂ側の側端部近傍が上方に屈曲していることで、スリット３ｂから付箋Ｓを引き出す際、付箋Ｓが上面部３３に引っ掛かることなく、スムーズに付箋Ｓを引き出すことができる。
【００７１】
付箋収納具３を使用する場合には、一対の上面部３３を観音開き様に上方へ可逆的に屈曲させてスリット３ｂを大きく開口させ、この状態でスリット３ｂを介して付箋収納具３内に付箋Ｓを収納する。この際、切起部３０や切起部３４が設けられていることから、この切起部３０や切起部４０の間に付箋Ｓを位置決めし易く、また、付箋Ｓの向きを付箋収納具３の幅方向や長さ方向に合わせてしっかりと配置し易い。
【００７２】
付箋収納具３に収納された付箋Ｓをスリット３ｂから引き出して使用し、付箋Ｓがなくなった場合には再び、スリット３ｂを介して付箋Ｓを詰め直すことができる。
【００７３】
以上の本例に係る付箋収納具３によっても、付箋Ｓを簡単に詰め替えて利用することができる。また、切起部３０を外側へ凹ませたり内側へ突出させたりすることができるため、付箋Ｓを内部へ挿入させやすいものでありながら、内部に収納された付箋Ｓが外部へ抜け出にくい。また、付箋Ｓの詰め替えのために設けられた切起部３０は、底面部３１及び側面部３２の一部を切り起こしたものにすぎないため、製造コストを抑えることができる。
【００７４】
なお、本例においては、幅方向の中央部分にも切起部３０と同様に切り起こされた切起部３４を設けているが、この切起部３４は、幅方向に隣接する付箋Ｓ同士を仕切る間仕切りとして機能するものであって、任意に設けられるものである。
また、本例においても、開口部３ａから付箋収納具３内へ付箋Ｓをスライドさせながら挿入することもできる。この際には、切起部３０を外側へ凹ませ、切起部３０の底面部３１と側面部３２から切り起こした部分を夫々、底面部３１と側面部３２と面一な状態にすることで、付箋収納具３内に付箋Ｓを挿入することができる。付箋Ｓを付箋収納具３内に収納した後は、切起部３０を内側へ突出させることにより、付箋Ｓが切起部３０に当接し、付箋Ｓが開口部３ａから外側へ抜け出ないように保持される。
また、付箋収納具３の形状についても、側面に開口部３ａを設けることなく、方形状の底面部３１の四辺すべてに側面部３２を連設させると共に、上面部３３の一辺のみを一の側面部３２と連設させた箱型形状とすることもできる。
【参考例２】
【００７５】
続いて、図１０から図１２に本発明の他の参考例に係る付箋収納具４を示す。
付箋収納具４は、付箋Ｓを詰め替え可能に収納する箱状の収納具である。
この付箋収納具４は、長方形状の底面部４１、底面部４１の四辺のうち長さ方向の二辺から略直角に折曲して上方へ連設する一対の側面部４２、底面部４１の四辺のうち幅方向の二辺から略直角に折曲して上方へ一対の連設する４３１、４３２、一対の側面部４２から夫々、底面部４１と略平行に内側へ延出した一対の上面部４４によって構成される。
【００７６】
図１０（ａ）に示されるように、側面部４３１の略中央の上端には、半円状に上方へ延出した延出部４３１１が設けられている。
さらに、この延出部４３１１の略中央には、厚み方向外側に突起した略半球状からなる突起部４３１ａが設けられている。
【００７７】
また、図１０（ｂ）に示されるように、側面部４３２の略中央の上方には、厚み方向外側に略半球状に凹んだ凹部４３２ｂが設けられている。
【００７８】
一対の上面部４４は夫々、側面部４２とのみ連設し、側面部４２と連設する部分で折曲可能に構成されている。
また、一対の上面部４４の間を幅方向に沿って延びる間隙は、内部に収納された付箋Ｓを引き出すためのスリット４ｂを構成する。このスリット４ｂは、一対の上面部４４を観音開き様に上方へ可逆的に屈曲させることにより大きく開口し、この状態でスリット４ｂを介して付箋Ｓの詰め替えを行うことができる。
【００７９】
この付箋収納具４は、二個一組で用いることで、付箋Ｓを携帯又は収納するのに好適な態様となる。
即ち、図１１に示されるように、一の付箋収納具４の上面に、他の付箋収納具４の上面を合わせるように重ねる。このとき、一の付箋収納具４の側面部４３１と他の付箋収納具４の側面部４３２、及び一の付箋収納具４の側面部４３２と他の付箋収納具４の側面部４３１とが同じ側の面を構成するように重ねると共に、各付箋収納具４の側面部４３１を他の付箋収納具４の内側に挿し込む。
【００８０】
これにより、図１２に示されるように、一の付箋収納具４の突起部４３１ａと他の付箋収納具４の突起部４３１ａが夫々、他の付箋収納具４の凹部４３２ｂと一の付箋収納具４の凹部４３２ｂに係合する。
このように係合し合った二個一組の付箋収納具４は、互いを引き離すことで係合が解除され、各付箋収納具４から付箋Ｓを引き出して使用することができる状態となる。
【００８１】
本例による付箋収納具４によれば、二個一組で重ねることで、付箋Ｓが外部に露出することがなく、また、付箋Ｓが付箋収納具４から落ちたりすることがない状態に保持され、付箋Ｓを汚したり落としたりすることなく容易に携行したり、しまっておいたりすることができる。
【００８２】
なお、本例においては、二個一組で用いられる付箋収納具４では、突出部４３１ａと凹部４３２ｂとみよって係脱可能に係合する構成としたが、これに関わらず、二個一組の付箋収納具４を係脱可能に係合させることができれば、係合部の形状は三角形や四角形等でもよいし、係合の構造自体を他の構成とすることもできる。
【００８３】
また、本例における突出部４３１ａや凹部４３２ｂといった係合手段を付箋収納具１、２、３に適用することで、付箋収納具１、２、３についても、二個一組で係合させて、汚れの防止や携行等に便利な態様とすることができる。
【００８４】
なお、以上の本発明の実施形態及び参考例では、幅方向の両端あるいは両端開口部近傍に、切起部１０等（他に、切起部２０、折返部３０）を設けた例を示したが、これに限らず、一端側にのみ切起部１０等を設け、他端側は閉じた構造として、一端側からのみ付箋Ｓを挿入可能とすることもできる。
また、一端側と他端側とで、異なる構造を採用することもできる。例えば、一端側には切起部１０を設け、他端側には切起部２０や折返部３０を設けることもできる。
【符号の説明】
【００８５】
１        付箋収納具
１ａ      開口部
１ｂ      スリット
１０      切起部
１１      底面部
１２      側面部
１３      上面部
１３ａ    谷折部
１３ｂ    切欠部
１３ｃ    谷折線
１４      間仕切り
２        付箋収納具
２ａ      開口部
２ｂ      スリット
２０      切起部
２１      底面部
２２      側面部
２３１    上面片
２３ａ    谷折部
２３ｂ    切欠部
３        付箋収納具
３ａ      開口部
３ｂ      スリット
３０      折起部
３１      底面部
３２      側面部
３３      上面部
３３ａ    谷折部
３３ｂ    切欠部
３４      間仕切り
４        付箋収納具
４ｂ      スリット
４１      底面部
４２      側面部
４３１    側面部
４３１１  延出部
４３１ａ  突起部
４３２    側面部
４３２ｂ  凹部
４４      上面部
Ｓ        付箋
【図１】
2017136761.tif 000003
【図２】
2017136761.tif 000004
【図３】
2017136761.tif 000005
【図４】
2017136761.tif 000006
【図５】
2017136761.tif 000007
【図６】
2017136761.tif 000008
【図７】
2017136761.tif 000009
【図８】
2017136761.tif 000010
【図９】
2017136761.tif 000011
【図１０】
2017136761.tif 000012
【図１１】
2017136761.tif 000013
【図１２】
2017136761.tif 000014